(57)【特許請求の範囲】
【請求項１】
横筋が埋設されたコンクリート生成物に埋設するアンカーボルトにおいて、
略中央に貫通したネジ穴を設けた上端部材と、前記ネジ穴の軸心から所定間隔をもって該ネジ穴の軸心と平行に突出するとともに下端に屈曲部を設けた少なくとも１本以上の杆部材とからなるアンカー材と、
前記ネジ穴に螺合するネジ部を備え、前記コンクリート生成物の上面に配設する部材を固定するボルト材と、
前記上端部材の下面に配設した弾性を有する被覆材と
からなることを特徴とするアンカーボルト。
【請求項２】
内部中央に長さ方向に沿って横筋を配設してコンクリートを打ち込む一対の型枠と、
略中央に貫通したネジ穴を設けた上端部材と、前記ネジ穴の軸心から所定間隔をもって該ネジ穴の軸心と平行に突出するとともに下端に屈曲部を設けた少なくとも１本以上の杆部材とからなるアンカー材、前記ネジ穴に螺合するネジ部を備え、コンクリート生成物の上面に配設する部材を固定するボルト材、および、前記上端部材の下面に配設した弾性を有する被覆材で構成するアンカーボルトと、
前記アンカー材のネジ穴が前記一対の型枠間の中央に位置するように、該アンカー材を前記型枠間上部に位置決めする位置決め機構と
を備えたことを特徴とするアンカーボルト装置。
【請求項３】
前記位置決め機構は、前記アンカー材の上端部材を保持する保持板、および、上端に屈曲した浮上防止部と下端に屈曲して前記保持板を支持する支持部とを備えた板状の位置決め部材からなることを特徴とする請求項２に記載のアンカーボルト装置。
【請求項４】
前記アンカー材の上端部材を円柱形状とし、その外周にネジ溝を設けるとともに、該ネジ溝を螺合可能なネジ穴を前記保持板に設けたことを特徴とする請求項３に記載のアンカーボルト装置。
【発明の詳細な説明】
【０００１】
【発明の属する技術分野】
本発明は、アンカーボルトおよびアンカーボルト装置に関し、特に、コンクリート生成物である木造建築物の基礎コンクリートに適用し、該基礎コンクリート上に載置する土台を正確に位置決め固定するものである。
【０００２】
【従来の技術】
従来、木造建築物における基礎の施工において、基礎コンクリート内に埋設するアンカーボルトは、棒状をなし、その下端に屈曲部を備えるとともに、基礎コンクリート上面から突出する部分にネジ部を備えたものである。
【０００３】
前記アンカーボルトを用いた施工方法としては、まず、２枚の型枠内に横筋を配設した状態で、両型枠間にコンクリートを打ち込む。そして、このコンクリートが完全に凝固していない状態で前記アンカーボルトを屈曲部側から手作業で差し込み、該アンカーボルトの上端が基礎コンクリート上から垂直に突出するように立設する。その後、基礎コンクリートが凝固すると、前記アンカーボルトの突出した部分に土台を挿入することにより、基礎コンクリート上に土台を載置し、アンカーボルトのネジ部にナットを螺合することにより、該土台を基礎コンクリート上に固定するものである。
【０００４】
【発明が解決しようとする課題】
しかしながら、前記基礎の施工では、前記アンカーボルトをコンクリートに差し込む際に、先に配設した横筋が両型枠間の中央に位置している場合には、該アンカーボルトが前記横筋に干渉するため、基礎コンクリートの中央に位置させることができない。その結果、基礎コンクリート上に固定する土台に設ける孔を幅方向中央に位置させることができない。そのうえ、アンカーボルトの突出位置は、定位置に定まるらないため、予め土台に孔を設けることができず、現場の状況に応じて孔を形成しなければならないため、作業性が悪い。逆に、横筋を予め両型枠の一方に偏らせて配設した場合、アンカーボルトおよび土台を基礎コンクリートの幅方向中央に位置させることはできるが、基礎の強度は十分であるとは言えず、補強作業が必要となるという不都合がある。
【０００５】
また、前記施工では、コンクリートの打ち込み後に、未凝固の状態でアンカーボルトを差し込むため、該アンカーボルトが自重で降下する場合があり、各アンカーボルトは、基礎コンクリートからの突出量が一定しない。そのため、土台を組み付ける際に、該土台の上面よりアンカーボルトのネジ部が突出した場合、その突出部分を切断しなければならない。逆に、アンカーボルトのネジ部の突出量が少ない場合、ナットを螺合できないため座掘りを施さなければならない。ここで、座掘りとは、土台にナットを収納する穴を凹設することを意味し、前記のように、ネジ部の突出量が少ない場合には、予め座掘りした穴の深さを、更に深くしなければならず、土台の強度が弱くなる。
【０００６】
そこで、本発明では、アンカーボルトを定位置に配置でき、かつ、凝固したコンクリート上に固定する部材を正確に位置決めできるとともに、余分な調整作業が不要なアンカーボルトおよびアンカーボルト装置を提供することを課題とするものである。
【０００７】
【課題を解決するための手段】
前記課題を解決するため、本発明のアンカーボルトは、横筋が埋設されたコンクリート生成物に埋設するアンカーボルトにおいて、略中央に貫通したネジ穴を設けた上端部材と、前記ネジ穴の軸心から所定間隔をもって該ネジ穴の軸心と平行に突出するとともに下端に屈曲部を設けた少なくとも１本以上の杆部材とからなるアンカー材と、前記ネジ穴に螺合するネジ部を備え、前記コンクリート生成物の上面に配設する部材を固定するボルト材と、前記上端部材の下面に配設した弾性を有する被覆材とからなる構成としている。
【０００８】
また、本発明のアンカーボルト装置は、内部中央に長さ方向に沿って横筋を配設してコンクリートを打ち込む一対の型枠と、略中央に貫通したネジ穴を設けた上端部材と、前記ネジ穴の軸心から所定間隔をもって該ネジ穴の軸心と平行に突出するとともに下端に屈曲部を設けた少なくとも１本以上の杆部材とからなるアンカー材、前記ネジ穴に螺合するネジ部を備え、コンクリート生成物の上面に配設する部材を固定するボルト材、および、前記上端部材の下面に配設した弾性を有する被覆材で構成するアンカーボルトと、前記アンカー材のネジ穴が前記一対の型枠間の中央に位置するように、該アンカー材を前記型枠間上部に位置決めする位置決め機構とを備えた構成としている。
【０００９】
前記アンカーボルト装置では、前記位置決め機構は、前記アンカー材の上端部材を保持する保持板、および、上端に屈曲した浮上防止部と下端に屈曲して前記保持板を支持する支持部とを備えた板状の位置決め部材からなるようにすることが好ましい。
【００１０】
また、前記アンカー材の上端部材を円柱形状とし、その外周にネジ溝を設けるとともに、該ネジ溝を螺合可能なネジ穴を前記保持板に設けることが好ましい。
【００１２】
【発明の実施の形態】
以下、本発明の実施の形態を図面に従って説明する。
本発明のアンカーボルト１は、図１（Ａ），（Ｂ）および図２に示すように、内部に横筋１１を配設した一対の型枠１０Ａ，１０Ｂ内に打ち込むコンクリートに埋設するもので、上端部材３と杆部材６とからなるアンカー材２、および、ボルト材８で構成されている。
【００１３】
前記アンカー材２の上端部材３は円柱形状をなし、その軸心には前記ボルト材８を螺合するネジ穴４が貫通するように設けられている。また、この上端部材３の外周上部には、ネジ溝５が刻設されている。
【００１４】
前記杆部材６は、前記上端部材３において、ネジ穴４の軸心から所定間隔をもって該ネジ穴４の軸心と平行に突出するように設けられている。本実施形態では、前記上端部材３の外周部の対向位置に長さの相違する２本の杆部材６ａ，６ｂが溶接によって設けられている。これら杆部材６ａ，６ｂの下端には、同一方向に突出するように屈曲部７ａ，７ｂが設けられており、これら屈曲部７ａ，７ｂの高さは、前記杆部材６ａ，６ｂの長さの相違により上下に位置するようになっている。
【００１５】
前記ボルト材８は、本実施形態では、軸部の一端にネジ部９ａ備え、他端に六角形状をなす締付用の頭部９ｂを備えた構成である。このボルト材８は、コンクリート生成物の上面に固定する部材を配置した状態で、該部材に軸部を貫通させて、ネジ部９ａを前記アンカー材２のネジ穴４に螺合して締め付けることにより、コンクリート生成物の上面に部材を位置決め固定する。
【００１６】
次に、前記アンカーボルト１を、木造建造物の基礎の施工に用いるためのアンカーボルト装置として適用した場合について説明する。このアンカーボルト装置は、内外一対の型枠１０Ａ，１０Ｂと、位置決め機構を構成する保持板１２および位置決め部材１７とからなり、この位置決め機構によって前記アンカーボルト１を型枠１０Ａ，１０Ｂの中央上部に位置決めするものである。
【００１７】
前記型枠１０Ａ，１０Ｂは、コンクリートを打ち込むためのもので、これら型枠１０Ａ，１０Ｂには、その内部中央に横筋１１が配設される。
【００１８】
前記保持板１２は、前記アンカー材２の上部を着脱可能に保持するもので、図１（Ａ），（Ｂ）に示すように、前記型枠１０Ａ，１０Ｂの間隔より若干細幅の樹脂板からなる。この保持板１２には、図２に示すように、幅方向中央で長さ方向の所定位置に、前記アンカー材２の保持孔１３が設けられている。この保持孔１３は略凸形状をなし、その下側は、内周面に上端部材３に刻設したネジ溝５と螺合する溝を設けたネジ孔部１３ａとされている。また、該ネジ孔部１３ａと連通する上側は、ボルト材８を挿通可能な直径の孔部１３ｂとされている。なお、この保持板１２の形状は、図３に示すように、コーナー用のＬ型、分岐部用のＴ型、土台３２の継足し用のＩ型等、形成する基礎および部位に応じて選択できるように種々のものが形成されている。
【００１９】
また、本実施形態の保持板１２には、上面に滑止溝１４が碁盤目状に凹設され、下面にコンクリートとの接着表面積を大きくするための溝１５が設けられている。また、保持板１２の下部両側縁には段部が設けられ、この段部の境界部分に水平方向に切り込んだ切込溝１６が設けられている。なお、前記滑止溝１４の代わりに微少な突部を設け、上面の表面を粗くして滑り止めを図ってもよく、また、滑止溝１４の形状も希望に応じて変更可能である。
【００２０】
前記位置決め部材１７は、保持板１２を介してアンカー材２を型枠１０Ａ，１０Ｂ間の中央に位置決めするもので、例えば弾性変形可能な板状のバネ鋼からなる。この位置決め部材１７は、図１（Ａ）に示すように、上端に下向きに屈曲した浮上防止部１８と、下端に上向きに屈曲して前記保持板１２の下面を支持する支持部１９とを備えている。
【００２１】
次に、前記アンカーボルト装置を用いた木造建築物の基礎の施工方法について説明する。
まず、従来と同様に、凝固した基礎コンクリート平面３０の所定位置に、図４（Ａ）に示すように、型枠１０Ａ，１０Ｂを配設するとともに、これら型枠１０Ａ，１０Ｂの幅方向中央に横筋１１を配設する。
【００２２】
ついで、前記型枠１０Ａ，１０Ｂの上部対向面に、全長にかけて同一高さとなるように位置決め部材１７をボルト、ナット等の周知の留め具を用いて固定する。なお、この位置決め部材１７は、前記型枠１０Ａ，１０Ｂに予め固定しておいてもよい。また、前記留め具は、割クリップ等、種々のものに代用可能である。
【００２３】
その後、図４（Ｂ）に示すように、保持板１２の保持孔１３に、ボルト材８を取り付けていないアンカー材２の上端部材３を螺合させて保持させる。そして、アンカーボルト１を配設する所定位置に、アンカー材２下端の屈曲部７ａ，７ｂ側から前記型枠１０Ａ，１０Ｂ間に挿入し、保持板１２を両位置決め部材１７，１７間に配設することにより、該保持板１２を介してアンカー材２を型枠１０Ａ，１０Ｂ間上部の所定高さに位置決めする。この際、アンカー材２における上端部材３の下面（ネジ穴４の下端）には、弾性を有する被覆材２０を配設し、後に打ち込むコンクリートがネジ穴４内へ流入することを防止する。
【００２４】
なお、前記アンカー材２の上端部材３を保持板１２に保持させる際には、ネジ溝５とネジ孔部１３ａとは完全に締め付けず、保持板１２に対してアンカー材２が回動できる程度の余裕を持たせる。これにより、前記保持板１２を介してアンカー材２を配設する際に、既に型枠１０Ａ，１０Ｂ間に配設されている横筋１１にアンカー材２の屈曲部７ａ，７ｂが干渉しても、杆部材６ａ，６ｂの長さを相違させていることも相俟ってアンカー材２が自然に回動し、図示のように、互いに干渉しない状態に位置する。また、型枠１０Ａ，１０Ｂへの保持板１２の配置は、保持板１２を位置決め部材１７の上方に位置させた状態で、押し込むだけで上端の浮上防止部１８を弾性的に撓ませて支持部１９上に位置決めできる。
【００２５】
次に、図４（Ｃ）に示すように、保持板１２と浮上防止部１８との隙間にスペーサ２１を配設し、保持板１２が浮き上がらないように位置決めする。これにより、アンカー材２は、保持板１２を介して型枠１０Ａ，１０Ｂの所定位置に移動不可に固定される。
【００２６】
ついで、図４（Ｄ）に示すように、保持板１２を配設していない部分からコンクリートを打ち込むための周知の機器を用い、型枠１０Ａ，１０Ｂ間にコンクリートを打ち込む。この時、このコンクリートは、その上面が保持板１２に設けた切込溝１６の下部に位置させる。
【００２７】
その後、前記打ち込んだコンクリートが完全に凝固してコンクリート生成物である基礎コンクリート３１が完成すると、図４（Ｅ）に示すように、スペーサ２１および位置決め部材１７を固定した型枠１０Ａ，１０Ｂを解体する。
【００２８】
そして、図４（Ｆ）に示すように、形成した基礎コンクリート３１上に土台３２を配置し、この土台３２に形成した座掘り部３３ａを有する貫通孔３３とアンカー材２のネジ孔４を一致させる。ここで、前記保持板１２を配設していない部分の基礎コンクリート３１上面と土台３２との間の隙間は、風抜き用の通気孔となる。また、本実施形態では、前記位置決め機構によるアンカー材２の位置決めにより、該アンカー材２のネジ穴４が基礎コンクリート３１の幅方向中央に直線的に位置するため、各アンカー材２のネジ穴４と土台３２に形成した全貫通孔３３とを容易に一致させることができる。
【００２９】
次に、図１（Ｂ）に示すように、アンカーボルト１を構成するボルト材８を、ネジ部９ａ側から土台３２の各貫通孔３３を通してアンカー材２のネジ穴４に螺合し、基礎コンクリート３１上に土台３２を固定する。この時、本実施形態では、貫通したネジ穴４の下面に弾性を有する被覆材２０を配設しているため、この被覆材２０が弾性変形可能な範囲まで、ボルト材８を締め込んで土台３２を固定できる。
【００３０】
その後、鋸等の周知の切断具を用い、土台３２の側部から突出する保持板１２の縁を切断する。この時、本実施形態の保持板１２には、切込溝１６を設けるとともに、該切込溝１６の下部に基礎コンクリート３１の上面が位置するようにしているため、基礎コンクリート３１の上面を破損することなく、保持板１２の突出した縁を容易に切断することができる。
【００３１】
このように、本発明のアンカーボルト装置では、基礎コンクリート３１内に配設する横筋１１を幅方向の中央に配置した状態で、かつ、土台３２を固定するためのアンカー材２のネジ穴４を基礎コンクリート３１の幅方向中央に直線的に位置させることができるため、基礎コンクリート３１の強度および土台３２のバランスを、設計通りの理想の状態で施工することができる。また、前記土台３２の固定は、締付用の頭部９ｂを有するボルト材８をアンカー材２のネジ穴４に螺合するだけで、基礎コンクリート３１上に確実に固定することができる。
【００３２】
そのため、土台３２には、設計図面に基づいて予め所定深さの座掘り３３ａを有する貫通孔３３を形成することができるうえ、従来例のように、ボルト部分の突出量が多いことによる切断や、突出量が少ないことによる土台３２の座掘り作業の追加等の余分な作業が増えることを確実に防止することができる。
【００３３】
なお、本発明のアンカーボルト１は前記実施形態に限定されず、例えば、前記アンカー材２は、上端部材３に対して杆部材６（６ａ，６ｂ）を溶接によって設けたが、略Ｕ字形状とした杆部材の折返部分をプレスすることによって上端部材３を一体に成形してもよい。また、杆部材６は必ずしも２本設ける必要はなく、図５に示すように、１本のみとしても前記と同様の作用、効果を得ることができる。さらに、杆部材６を３以上設けてもよいことは言うまでもない。
【００３４】
さらにまた、アンカー材２の上端部材３に形成するネジ穴４は貫通するように設けたが、下端部を閉鎖するように形成してもよい。この場合、前記被覆材２０は不要である。
【００３５】
また、前記アンカーボルト１を用いたアンカーボルト装置の位置決め機構は、アンカー材２の上端部材３を型枠１０Ａ，１０Ｂ間に嵌め込み可能な矩形状や円形状とすることにより、保持板１２を用いることなく位置決め部材１７のみで構成することができる。さらに、バネ鋼からなる位置決め部材１７の代わりに、強磁力の磁石を型枠１０Ａ，１０Ｂに固定し、アンカーボルト１のアンカー材２上端を磁力でもって吸着して位置決めしてもよい。
【００３６】
さらにまた、前記アンカーボルト装置を用いた施工方法は、アンカー材２を位置決め機構を介して型枠１０Ａ，１０Ｂ間に固定した状態で、コンクリートを型枠１０Ａ，１０Ｂ間に打ち込んだが、従来と同様に、コンクリートを打ち込んだ後に、このコンクリートが完全に凝固していない状態でアンカー材２を差し込んで配設してもよく、この施工手順は、種々の変形が可能である。
【００３７】
かつ、前記実施形態では、アンカーボルト１およびアンカーボルト装置を、基礎コンクリート３１上に固定する土台３２を固定するために用いたが、上端部材３のネジ穴４を大径とするとともに、ボルト材８の頭部９ｂより更に上方に突出する軸部を設け、例えば３階建て住宅において、１階から３階までの通し柱を固定する金具（所謂ホールダウン）として用いてもよい。
【００３８】
そのうえ、前記実施形態では、木造建築物に適用したが、鉄筋コンクリート住宅やトンネル工事等、コンクリートやモルタル等からなる壁面に、所定の部材を固定するあらゆる工事に適用できる。
【００３９】
具体的には、鉄筋コンクリートからなる高層住宅に適用する場合、前記ボルト材８を長尺の棒材とし、上層フロアの壁を形成するための縦筋として利用して、床スラブの上面に配設する部材である壁を固定支持する。この場合、縦筋として適用する各ボルト材８は、前記アンカー材２が幅方向中央に確実に位置するため、千鳥足状に蛇行することなく、直線的に配設することができる。また、各ボルト材８のネジ穴４への螺締量を調節することにより、床スラブからの突出長さを容易に調節して一致させることができる。その結果、突出量が一致しないことに伴って切断等の余分な作業が増えることを確実に防止することができる。
【００４０】
【発明の効果】
以上の説明から明らかなように、本発明の請求項１に記載のアンカーボルトは、ネジ穴を設けた上端部材と、前記ネジ穴の軸心から所定間隔をもって該ネジ穴の軸心と平行に突出するとともに下端に屈曲部を設けた杆部材とからなるアンカー材と、コンクリート生成物の上面に配設する部材を固定するためのボルト材とで構成しているため、ボルト材によって固定する位置の延長線上に横筋が存在していても、ネジ穴の軸心を中心として回動させることにより、その横筋と干渉を解消し、所定位置に配置することができる。また、アンカー材の上端部材に前記ネジ穴を貫通させて設け、該上端部材の下面に弾性を有する被覆材を配設する構成としているため、ネジ穴の内部に打ち込んだコンクリートが流入することを防止できる。そのうえ、被覆材が弾性可能な部分までボルト材の締め込むことができるため、調節範囲の増大を図ることができる。
【００４１】
また、前記アンカーボルトを用いた請求項２のアンカーボルト装置は、内部中央に長さ方向に沿って横筋を配設した一対の型枠間に、前記アンカーボルトを構成するアンカー材のネジ穴が型枠間の中央に位置するように位置決め機構によって位置決めするようにしており、前記アンカー材の杆部材は、前記のように、配置する位置の延長線上に横筋が存在しても、該横筋と干渉することなく配置することができる。そのため、コンクリート生成物の強度および配設する部材の配設位置を、設計通りの理想の状態で施工することができる。
【００４２】
例えば、木造建築物の基礎コンクリートに適用した場合、コンクリート生成物である基礎コンクリートに対して、上部に配設する土台を固定するためのボルト材を、幅方向中央に直線的に配置することができるため、土台への孔あけ作業を設計図面に基づいて予め行うことができ、作業性および生産性の向上を図ることができる。また、締付用の頭部を有するボルト材を適用することにより、従来例のように、土台からの突出量が多いことによる切断、土台の座掘り作業の追加、土台の孔の調整等の余分な作業が増えることはない。
【００４３】
また、請求項３では、位置決め機構は、前記アンカー材の上端部材を保持する保持板、および、上端に屈曲した浮上防止部と下端に屈曲して前記保持板を支持する支持部とを備えた板状の位置決め部材から構成としているため、アンカー材を保持させた保持板を位置決め部材に上方から押し込むだけで、浮上防止部を通過させて支持部上に配置することができる。そのため、施工における作業性の向上を図ることができる。
【００４４】
さらに、請求項４では、前記アンカー材の上端部材を円柱形状とし、その外周にネジ溝を設けるとともに、該ネジ溝を螺合可能なネジ穴を前記保持板に設けているため、アンカー材を保持板に保持させた状態で配置する際に、杆部材が横筋に干渉した場合には、保持板に対してアンカー材が自然に回動し、互いに干渉しない位置になる。
【図面の簡単な説明】
【図１】  （Ａ），（Ｂ）は本発明のアンカーボルトを木造建築物の基礎に適用した場合の施工構造を示す断面図である。
【図２】  図１（Ａ）の分解斜視図である。
【図３】  木造建築物の基礎の一例を示す平面図である。
【図４】  （Ａ）から（Ｆ）は施工工程を示す断面図である。
【図５】  アンカーボルトの変形例を示す斜視図である。
【符号の説明】
１…アンカーボルト、２…アンカー材、３…上端部材、４…ネジ穴、５…ネジ溝、６…杆部材、７…屈曲部、８…ボルト材、９ａ…ネジ部、１０Ａ，１０Ｂ…型枠、１１…横筋、１２…保持板、１７…位置決め部材、２０…被覆材、２１…スペーサ、２２…ボルト材、３０…基礎コンクリート平面、３１…基礎コンクリート、３２…土台。
【図１】
0004274637.tif 000002
【図２】
0004274637.tif 000003
【図３】
0004274637.tif 000004
【図４】
0004274637.tif 000005
【図５】
0004274637.tif 000006